(57)【要約】【課題】紙面スペースを無駄にすることなく電子機器の操作方法について十分な記載ができるとともに、容易に当該電子機器の操作手順を理解することができ、取扱が容易な冊子を提供する。【解決手段】リモコン２０１の外観図が描かれた外観記載部２００を小口１０１から外側にはみ出し可能に設けることで、各頁ごとにリモコン２０１の外観図を描かずともよいため、紙面のスペースを無駄にすることがなくリモコン２０１の操作方法１０５について十分な記載ができ、容易にリモコン２０１の操作手順を理解し修得することができる。また、リモコン２０１の外観図を描くスペースの分、取扱説明書１００のサイズを縮小することもでき、取扱説明書１００のサイズを縮小することにより、取扱説明書１００を使用したり、持ち運んだり、保管したりする際の取扱が容易となる。【選択図】図４
2008162025.tif 000002
【特許請求の範囲】
【請求項１】
複数頁から成り、電子機器の操作部の操作方法が記載された冊子において、
前記電子機器の操作部の外観図が描かれ、少なくとも１つの特定小口から外側にはみ出し可能に所定頁の一部に設けられた外観記載部を備えることを特徴とする冊子。
【請求項２】
前記外観記載部は、
前記特定小口と、該特定小口から所定距離だけ離れて切離可能に形成された切込部とにより囲まれた領域に形成され、前記切込部が切り離されて前記特定小口からはみ出すように折り返されるものであることを特徴とする請求項１に記載の冊子。
【請求項３】
前記切込部はミシン目として形成されていることを特徴とする請求項２に記載の冊子。
【請求項４】
前記外観記載部は、巻頭の目次頁に設けられていることを特徴とする請求項１ないし３のいずれかに記載の冊子。
【請求項５】
前記外観記載部は、巻末の最終頁に設けられていることを特徴とする請求項１ないし４のいずれかに記載の冊子。
【請求項６】
前記操作部の操作方法が記載された各頁には、はみ出し状態の前記外観記載部に描かれた前記操作部の所定箇所を指し示す引出線、および、当該所定箇所についての前記操作方法が記載されていることを特徴とする請求項１ないし５のいずれかに記載の冊子。
【発明の詳細な説明】
【技術分野】
【０００１】
本発明は、電子機器の操作部の操作方法が記載された冊子に関する。
【背景技術】
【０００２】
従来、初心者ユーザーでも容易に操作手順を理解することができるように、商品である電子機器を嵌め込むための空間が設けられた取扱説明書としての冊子が知られている。すなわち、この空間に電子機器を嵌め込んだ状態で、冊子を構成する紙面に記載された当該電子機器の操作方法を参照することで、電子機器の実物と、該電子機器の操作方法の記載との間の視点移動を少なくし、誤操作の可能性を削減することができ、容易に当該電子機器の操作手順を理解することができる（例えば、特許文献１参照）。
【０００３】
【特許文献１】特開２００３−２１１８６７号公報（要約書、段落［０００４］、［００１５］、図１）
【発明の開示】
【発明が解決しようとする課題】
【０００４】
ところで、上記した従来の冊子では、冊子の所定の頁に電子機器を形取った切抜部を設け、これらの頁を重ね合わせて切抜部を重合させることにより電子機器を嵌め込むための空間が形成されている。したがって、電子機器を嵌め込み可能な大きさで冊子の紙面に切抜部を形成しているため、冊子を見開いた状態で紙面の切抜部分には文章を記載できず、電子機器の操作方法を記載するスペースが不足してしまうおそれがある。そのため、操作方法を十分に記載するためには冊子全体のサイズを大きくしなければならなかった。また、切抜部を形成した部分の切抜いた紙面を再利用できないため、材料、印刷代が無駄となってしまう。
【０００５】
また、冊子の頁をめくるごとに、切抜部が重合されることにより形成された空間の深さが浅くなるため、特に参照する頁が巻末部分であれば空間の深さが浅くなり、電子機器を空間内に支持することができず、当該電子機器が落下するおそれがある。また、電子機器を空間に嵌め込んだ状態で冊子を持ち運ぶ際、冊子をしっかりと閉じておかなければ当該電子機器が冊子から落下して破損するおそれもあり、取扱に気を使わなければならなかった。
【０００６】
本発明は、紙面スペースを無駄にすることなく電子機器の操作方法について十分な記載ができるとともに、容易に当該電子機器の操作手順を理解することができ、取扱が容易な冊子を提供することを目的とする。
【課題を解決するための手段】
【０００７】
上記した目的を達成するために、本発明の冊子は、複数頁から成り、電子機器の操作部の操作方法が記載された冊子において、前記電子機器の操作部の外観図が描かれ、少なくとも１つの特定小口から外側にはみ出し可能に所定頁の一部に設けられた外観記載部を備えることを特徴としている（請求項１）。
【０００８】
さらに、前記外観記載部は、前記特定小口と、該特定小口から所定距離だけ離れて切離可能に形成された切込部とにより囲まれた領域に形成され、前記切込部が切り離されて前記特定小口からはみ出すように折り返されるものであることを特徴としている（請求項２）。
【０００９】
つぎに、前記切込部はミシン目として形成されていることを特徴としている（請求項３）。
【００１０】
また、前記外観記載部は、巻頭の目次頁に設けられていることを特徴としている（請求項４）。
【００１１】
また、前記外観記載部は、巻末の最終頁に設けられていることを特徴としている（請項５）。
【００１２】
そして、前記操作部の操作方法が記載された各頁には、はみ出し状態の前記外観記載部に描かれた前記操作部の所定箇所を指し示す引出線、および、当該所定箇所についての前記操作方法が記載されていることを特徴としている（請求項６）。
【発明の効果】
【００１３】
まず、請求項１に係る冊子によれば、電子機器の操作部の外観図が描かれた外観記載部が、少なくとも１つの特定小口から外側にはみ出し可能に所定頁の一部に設けられているため、冊子の任意の頁を参照しながら、同時に、はみ出し状態の外観記載部に描かれた電子機器の操作部の外観図を参照できる。したがって、操作方法を説明するための電子機器の操作部の外観図を頁ごとに描かずとも、外観記載部に描かれた操作部の外観図と、参照頁中の該操作部の操作方法の記載とを同時に参照でき、かつ、外観図と操作方法の記載との間の視点移動を少なくでき、容易に当該電子機器の操作手順を理解することができる。また、従来のように紙面を切抜く必要もないため、紙面のスペースを無駄にすることがなく、冊子のサイズを大きくせずとも電子機器の操作方法について十分に記載できる。
【００１４】
また、電子機器の操作部の外観図が描かれた外観記載部をはみ出し状態として、冊子の任意の頁を参照しながら操作部の外観図を参照できるようにしているため、従来のように、電子機器が冊子から落下するおそれがない。さらに、操作方法を説明するために頁ごとに操作部の外観図を描く必要がないため、外観図のスペースの分、冊子のサイズを縮小することもでき、冊子のサイズを縮小することにより、冊子を使用したり、持ち運んだり、保管したりする際の取扱が容易となる。
【００１５】
また、冊子のサイズを縮小すれば、冊子の作成、印刷、輸送代等のコストダウンを図ることができる。また、また、外観記載部をはみ出した状態で冊子を本棚等に保管することで、はみ出し状態の外観記載部が目印となって、保管状態の当該冊子を素早く発見することができる。
【００１６】
また、冊子を従来サイズのままとし、従来、電子機器の外観図が描かれていたスペースを利用して、紙面に記載する操作方法の説明文の文字サイズ等を大きくすることで、高齢者等に対する利便性を高めることができる。
【００１７】
また、請求項２に係る冊子によれば、所定頁の一部に、特定小口と、該特定小口から所定距離だけ離れて切離可能に形成された切込部とにより囲まれた領域が形成され、切込部が切り離されて当該領域が特定小口からはみ出すように折り返されて外観記載部が設けられているため、冊子を作成する工程で所定頁に切込部を形成するのみで外観記載部を設けることができ、実用的な構成で外観記載部を設けることができる。
【００１８】
また、外観記載部を利用しない場合には、外観記載部を折り返さずに小口からはみ出さないようにして冊子を使用することで、外観記載部が破損するおそれがなく、また、冊子を保管する際にコンパクトに本棚等に収納することができる。
【００１９】
また、必要に応じて、所定頁に設けられたはみ出し状態の外観記載部を、任意の頁に折り込むことでしおりとして利用することができ、さらに利便性を高めた冊子を提供することができる。
【００２０】
さらに、請求項３に係る冊子によれば、切込部をミシン目として形成することで、紙面の印刷後、冊子を製本する工程でミシン目を形成する以外は、通常の印刷・製本方法と同様であり特殊な工程を必要としないため、外観記載部を設けることによるコストアップを最小限に抑制でき、実用的である。
【００２１】
また、請求項４に係る冊子によれば、電子機器の操作方法に比べて記載量の少ない巻頭の目次頁に外観記載部が設けられているため、紙面のスペースを有効に利用できる。さらに、巻頭の目次頁に外観記載部を設けることで、外観記載部の一方の面に電子機器の操作部の外観図を描くのみで、目次頁以降の、どの頁を参照しても、当該外観図を参照することができるため、より実用的な構成で外観記載部を設けることができる。
【００２２】
また、請求項５に係る冊子によれば、巻末の最終頁に外観記載部が設けられているため、外観記載部の一方の面に電子機器の操作部の外観図を描くのみで、どの頁を参照しても、当該外観図を参照することができ、より実用的な構成で外観記載部を設けることができる。
【００２３】
さらに、外観記載部を巻頭の目次頁にも設けることで、見開き状態の冊子の左側・右側いずれか一方の頁を参照する際、当該参照頁に対応した巻頭・巻末のいずれか一方の外観記載部に描かれた操作部の外観図を同時に参照することができるので、巻頭・巻末の外観記載部に描かれた操作部の外観図と左右両側の各頁に記載された操作方法の記載との間の視点移動をさらに少なくでき、より容易に電子機器の操作部の操作手順を理解し修得することができる。
【００２４】
また、請求項６に係る冊子によれば、操作部の操作方法が記載された各頁には、はみ出し状態の外観記載部に描かれた操作部の所定箇所を指し示す引出線、および、当該所定箇所についての操作方法が記載されているため、操作方法の記載が操作部のどの箇所についての説明であるのかを簡単に理解することができ、より容易に当該電子機器の操作手順を修得することができる。
【発明を実施するための最良の形態】
【００２５】
つぎに、本発明をより詳細に説明するため、その実施形態について、図１〜５にしたがって詳述する。なお、本実施形態では、本発明に係る冊子の具体的な製品として、電子機器の操作部であるリモコンの操作方法が記載された複数頁から成る取扱説明書を例に挙げて以下の説明を続ける。また、電子機器としては、ＤＶＤ（デジタル・バーサタイル・デイスク）の再生装置（ＤＶＤプレーヤ）や記録再生装置（ＤＶＤレコーダ）、あるいは、これらの装置とＶＣＲ（ビデオカセットレコーダ）やカセットテープレコーダ、ＨＤＤ（ハード・ディスク・ドライブ）等とを組み合わせた複合型の映像音響装置のようなディスク装置、テレビ等があるが本発明を限定するものではない。
【００２６】
図１は取扱説明書の外観形状を示す斜視図、図２および図３は図１の取扱説明書の外観記載部がはみ出した状態を示す図、図４は図１の取扱説明書の外観記載部および任意の頁を同時に参照している状態を示す図、図５は図１の取扱説明書の外観記載部を任意の頁に折り込んでしおりとして使用した状態を示す図である。
【００２７】
図１に示すように、本実施形態の取扱説明書１００は、背１０３に対向する小口１０１（本発明の「特定小口」に相当）と、小口１０１から所定距離Ｗだけ離れて切離可能にミシン目として形成されている切込部２０２とにより囲まれた領域に外観記載部２００を備えている。なお、本実施形態ではミシン目として切込部２０２を形成しているが、切込部２０２は取扱説明書１００を作成する際に最初から切り離しておいてもよいし、切り取り線のみを印刷しておき、外観記載部２００を使用する際にカッターナイフ等の切断用具で切り離すことができるようにしておいてもよい。
【００２８】
また、図１および図２に示すように、この外観記載部２００の一方の面（取扱説明書１００の第３頁側）にはリモコン２０１の外観図が描かれており、他方の面（取扱説明書１００の第４頁側）はメモＭとして利用できるように構成されている。また、図３に示すように、本実施形態では、外観記載部２００は取扱説明書１００の巻頭の目次頁（取扱説明書１００の第４頁）に設けられている。
【００２９】
また、図１〜３に示すように、取扱説明書１００の第２頁には電子機器の主な特長１０７が簡略に記載されている。また、取扱説明書１００の第３頁の外観記載部２００に隣接した部分にはリモコン２０１の各ボタン１〜１０の簡略な説明文１０４が記載されており、第４頁の外観記載部２００に隣接した部分には目次１０２が記載されている。
【００３０】
そして、図２に示すように、外観記載部２００は、切込部２０２が切り離されて小口１０１からはみ出すように折り返されて、取扱説明書１００の外側にはみ出すように構成されている。
【００３１】
また、図３に示すように、本実施形態の取扱説明書１００には、巻末の最終頁に、外観記載部２００と同様の構成の外観記載部３００が設けられている。なお、本実施形態では、目次頁および巻末の最終頁に外観記載部２００，３００を設けているが、外観記載部を設ける頁としてはこれらの頁に限られるものではなく、どの頁に設けてもよい。また、目次頁および巻末の最終頁のいずれか一方にのみ外観記載部を設けてももちろんよい。また、外観記載部２００，３００の両面にリモコン２０１の外観図を記載してもよいことは言うまでもない。要は、取扱説明書１００の任意の頁を参照しつつ、同時に外観記載部に描かれたリモコン２０１の外観図が参照できるように構成されていればよい。
【００３２】
また、図４に示すように、リモコン２０１の一部の操作方法が記載された取扱説明書１００の第１４頁には、はみ出し状態の外観記載部２００に描かれたリモコン２０１の所定のボタン２，４，７（本発明の「所定箇所」に相当）を指し示す引出線１０６、および、所定のボタン２，４，７についての詳細な操作方法１０５が記載されている。
【００３３】
なお、図４では第１４頁を例に挙げて説明しているが、見開き状態の左側の各頁は第１４頁と同様に構成されており、左側の各頁にはリモコン２０１の所定の操作についての操作方法が記載されている。また、図４では、外観記載部３００は取扱説明書２００の内側に折りたたまれた状態となっているが、外観記載部２００と同様に引出線１０６が記載されており、外観記載部３００をはみ出し状態とすることで、第１５頁（見開き状態の右側の各頁）に記載されたリモコン２０１の所定の操作についての操作方法（図示省略）を外観記載部３００に描かれたリモコン２０１の外観図と同時に参照することができる。
【００３４】
つぎに、取扱説明書１００の使用方法について説明する。まず、図１に示すように小口１０１と切込部２０２とに囲まれた外観記載部２００の切込部２０２のミシン目を切り離して、図２に示すように外観記載部２００を小口１０１からはみ出すように折り返す。
【００３５】
そして、第４頁に記載された目次１０２を参照して、必要な操作方法が記載された頁を検索し、例えば図４に示すように、外観記載部２００が小口１０１からはみ出した状態で第１４頁を見開いた状態とする。つぎに、第１４頁に記載された引出線１０６を利用して、外観記載部２００に描かれたリモコン２０１のどのボタンについての説明であるのかを確認しつつ、各ボタンの詳細な操作方法１０５参照することで、第１４頁に記載されたＳ１〜Ｓ４の操作を実行して、所定の操作を終了する。
【００３６】
さらに、上記した所定の操作Ｓ１〜Ｓ４を実行した後、図５に示すように、外観記載部２００を背１０３の方へ折り込んだ状態で取扱説明書１００を閉じて本棚等に保管することで、外観記載部２００を再度、第１４頁に記載された所定の操作方法１０５を参照する際にしおりとして利用することができる。
【００３７】
このように、本実施形態では、リモコン２０１の外観図が描かれた外観記載部２００，３００が、小口１０１から外側にはみ出し可能に設けられているため、取扱説明書１００の任意の頁を参照しながら、同時に、はみ出し状態の外観記載部２００，３００に描かれたリモコン２０１の外観図を参照できる。したがって、各頁ごとにリモコン２０１の外観図を描かずとも、外観記載部２００，３００に描かれたリモコン２０１の外観図と、参照頁中の操作方法の記載とを同時に参照できるので、紙面のスペースを無駄にすることがなくリモコン２０１の操作方法１０５について十分な記載ができ、かつ、リモコン２０１の外観図と操作方法の記載との間の視点移動を少なくできるため、容易にリモコン２０１の操作手順を理解し修得することができる。
【００３８】
また、上記したように、外観記載部２００，３００をはみ出し状態とすることで、取扱説明書１００の任意の頁を参照しながらリモコン２０１の外観図を参照できるため、各頁ごとにリモコン２０１の外観図を描く必要がなく、リモコン２０１の外観図を描くスペースの分、取扱説明書１００のサイズを縮小することもでき、取扱説明書１００のサイズを縮小することにより、取扱説明書１００を使用したり、持ち運んだり、保管したりする際の取扱が容易となる。
【００３９】
また、取扱説明書１００のサイズを縮小すれば、取扱説明書１００の作成、印刷、輸送代等のコストダウンを図ることができる。さらに、取扱説明書１００のデザインをコンピュータで作成する場合には、取扱説明書１００の電子データのサイズを縮小でき、当該電子データの、例えばインターネットでの運用や管理が容易となる。また、取扱説明書１００のサイズを縮小すれば、取扱説明書１００を含めた商品としての電子機器の包装形態の自由度が高まるという利点もある。
【００４０】
また、外観記載部２００，３００をはみ出した状態で取扱説明書１００を本棚等に保管することで、はみ出し状態の外観記載部２００が目印となって、保管状態の取扱説明書１００を素早く発見することができる。
【００４１】
また、取扱説明書１００を従来サイズのままとし、従来、リモコン２０１等の外観図が描かれていた紙面のスペースを利用して、当該紙面に記載する操作方法の説明文の文字サイズ等を大きくすることができるため、高齢者などにとって見易い説明文となり、利便性を高めることができる。
【００４２】
また、必要に応じて、はみ出し状態の外観記載部２００，３００を、任意の頁に折り込むことでしおりとして利用することができ、さらに利便性を高めることができる。
【００４３】
また、上記した実施形態では、小口１０１と、小口１０１から所定距離Ｗだけ離れて切離可能に形成された切込部２０２とにより囲まれた領域を外観記載部２００として利用しているため、取扱説明書１００を作成する工程で所定頁に切込部を形成するのみで外観記載部２００を設けることができ、実用的な構成で取扱説明書１００に外観記載部２００を設けることができる。
【００４４】
また、切込部２０２をミシン目として形成しているため、紙面の印刷後、取扱説明書１０を製本する工程でミシン目を形成する以外は、通常の印刷・製本方法と同様であり特殊な工程を必要としないため、取扱説明書１００の所定頁に外観記載部２００を設けることによるコストアップを最小限に抑制でき、実用的である。なお、外観記載部３００についても、外観記載部２００と同様にして取扱説明書１００に設けることで、上記した効果と同様の効果を奏することができる。
【００４５】
また、外観記載部２００，３００を利用しない場合には、外観記載部２００，３００を外側に折り返さずに小口１０１からはみ出さないようにして取扱説明書１００を使用することで、外観記載部２００，３００が破損するおそれがなく、また、取扱説明書１００を保管する際にコンパクトに本棚等に収納することができる。
【００４６】
また、上記した実施形態によれば、リモコン２０１の詳細な操作方法に比べて記載量の少ない巻頭の目次頁に外観記載部２００が設けられているため、紙面のスペースを有効に利用できる。さらに、巻頭の目次頁に外観記載部２００を設けることで、外観記載部２００の一方の面にリモコン２０１の外観図を描くのみで、目次頁以降の、どの頁を参照しても、リモコン２０１の外観図を参照することができるため、より実用的な構成で取扱説明書１００に外観記載部２００を設けることができる。
【００４７】
また、巻末の最終頁に外観記載部３００が設けられているため、外観記載部３００の一方の面にリモコン２０１の外観図を描くのみで、どの頁を参照しても、リモコン２０１の外観図を参照でき、実用的である。さらに、取扱説明書１００の巻頭および巻末に２つの外観記載部２００，３００を設けることで、見開き状態の取扱説明書１００の左右両側の頁を参照する際、それぞれ同時に外観記載部２００，３００に描かれたリモコン２０１の外観図を参照することができるので、リモコン２０１の外観図と操作方法の記載との間の視点移動をさらに少なくでき、より容易にリモコン２０１の操作手順を理解し修得することができる。
【００４８】
また、上記した実施形態では、リモコン２０１の操作方法が記載された各頁には、はみ出し状態の外観記載部２００，３００に描かれたリモコン２０１の所定のボタンを指し示す引出線１０６、および、所定のボタンについての操作方法１０５が記載されているため、操作方法の記載がリモコン２０１のどのボタンについての説明であるのかを簡単に理解することができ、より容易にリモコン２０１の操作手順を修得することができる。
【００４９】
また、本発明は上述した実施形態に限定されるものではなく、その趣旨を逸脱しない限りにおいて上述したもの以外に種々の変更を行うことが可能であり、例えば、リモコン２０１が描かれた紙面を取扱説明書の所定頁に、所定小口からはみだすように貼り付けて外観記載部を設けてもよい。また、取扱説明書の所定の一の頁のみ、サイズを大きくして、当該一の頁のはみだした部分に電子機器のリモコン２０１の外観図を描くことで外観記載部を設けてもよい。さらに、リモコン２０１以外の取扱説明書に対しても本発明を適用することができる。
【００５０】
また、外観記載部が同時に２つ以上の小口からはみ出すように構成してもよい。また、外観記載部を１つの小口からはみ出すように構成する場合には、３つの小口のうち、どの小口からはみ出るようにしてもよい。
【００５１】
また、上記した実施形態において、外観記載部２００，３００が形成された頁の小口１０１から切込部までの所定距離Ｗの部分に補強シールを貼ることで、外観記載部２００，３００の強度が増すため外観記載部２００，３００が破損するするのを防止でき、より実用的な取扱説明書１００を提供することができる。なお、補強シールを施した状態で製品（取扱説明書１００）を出荷してもよいが、該補強シールを同封しておき、ユーザー自身が補強シールを貼り付けるようにしてもよいことは言うまでもない。
【図面の簡単な説明】
【００５２】
【図１】本発明に係る冊子の一実施形態たる取扱説明書の外観形状を示す斜視図である。
【図２】同上、図１の取扱説明書の外観記載部がはみ出した状態を示す図である。
【図３】同上、図１の取扱説明書の外観記載部がはみ出した状態を示す図である。
【図４】同上、図１の取扱説明書の外観記載部および任意の頁を同時に参照している状態を示す図である。
【図５】同上、図１の取扱説明書の外観記載部を任意の頁に折り込んでしおりとして使用した状態を示す図である。
【符号の説明】
【００５３】
１００  取扱説明書（冊子）
１０１  小口（特定小口）
１０５  操作方法
１０６  引出線
２００，３００  外観記載部
２０１  リモコン（操作部）
２０２  切込部
【図１】
2008162025.tif 000003
【図２】
2008162025.tif 000004
【図３】
2008162025.tif 000005
【図４】
2008162025.tif 000006
【図５】
2008162025.tif 000007